(57)【要約】【課題】半クラッチモードの設定および半クラッチモードの設定解除をより一層簡単に行いつつ、部品点数を削減してモード切替の構造を簡単にする。【解決手段】車両の停止待機モード（発進モード）からアクセルペダルが設定踏み込み速度以下で踏み込まれ、アクセルペダルが、半クラッチモードである動力接続が行われたが車両は停止している状態であるペダル踏み込み量領域内に踏み込まれると、このアクセルペダル踏み込み量領域が運転者に通知される。したがって、アクセルペダルをアクセルペダル踏み込み量領域内で更に少量だけ前述のアクセルペダル踏み込み速度で踏み込むことで、車両がクリープ状態に自動的にかつ簡単に設定可能となる。また、アクセルペダルを解放すると、クラッチが切断されて、半クラッチモードが自動的に解消される。【選択図】  図２
2014088129.tif 000002
【特許請求の範囲】
【請求項１】
車両の停止待機モードからアクセルペダルが予め設定された設定踏み込み速度以下で踏み込まれたとき、クラッチによる動力接続が行われたが車両は停止している状態に設定されるアクセルペダル踏み込み量領域を運転者に通知するペダル踏み込み量領域通知手段を作動制御するペダル踏み込み量領域通知部と、
前記アクセルペダルが前記アクセルペダル踏み込み量領域内に踏み込まれたときクラッチを半クラッチモードに設定するとともに、前記半クラッチモードで前記アクセルペダルが解放されたとき前記クラッチを切断して前記半クラッチモード解消するように、前記クラッチを断接するクラッチアクチュエータを作動制御するクラッチ制御部と、
前記アクセルペダルが前記アクセルペダル踏み込み量領域内に踏み込まれたとき車両が停止している状態となるエンジン回転数を指示するエンジン回転数指示部と、
前記アクセルペダルが前記アクセルペダル踏み込み量領域内に踏み込まれたとき車両が停止している状態となるエンジントルクを指示するエンジントルク指示部と、
前記エンジン回転数指示部から指示されたエンジン回転数および前記エンジントルク指示部から指示されたエンジントルクとなるようにエンジンを制御するエンジン制御部と、を少なくとも備えていることを特徴とするクラッチ制御装置。
【請求項２】
前記クラッチを制御するとともに自動変速機を制御する変速機制御装置を備え、
前記クラッチ制御部、前記ペダル踏み込み量領域通知部、エンジン回転数指示部、およびエンジントルク指示部は前記変速機制御装置に配設されていることを特徴とする請求項１に記載のクラッチ制御装置。
【発明の詳細な説明】
【技術分野】
【０００１】
本発明は、クラッチ装置におけるクラッチの断接を自動的に制御するクラッチ制御装置の技術分野に関するものである。
【背景技術】
【０００２】
従来、バスやトラック等の大型車両のクラッチおよび変速機においては、例えば、運転者がチェンジレバーを所望のシフト位置に操作すると、このチェンジレバーのシフト位置に基づいて変速機ＥＣＵにより自動的に制御されるクラッチおよび自動変速機が種々提案されている。
【０００３】
このような従来のクラッチの断接を自動的に制御するクラッチ制御装置として、車両の発進時、または変速ギヤが第１速段、第２速段、あるいは後進段に設定されているときに、クラッチを半クラッチ・モードに設定して車両を微速走行可能にするとともに、車両が半クラッチ・モードで微速走行しているときで、路面が急に平坦になるかあるいは進行方向に下り坂になるかなどにより車両の負荷が急に小さくなる場合に、半クラッチ・モードが解除されなくエンジン回転が上昇することで、クラッチの滑り状態が継続して発生する現象を回避するクラッチ制御装置が提案されている（例えば、特許文献１参照）。
【０００４】
この特許文献１に記載のクラッチ制御装置の一例では、半クラッチ・モードが設定されているときに、アクセル・ストロークの小さい状態でエンジン回転速度が所定以上になったことを検出すると、強制的に半クラッチ・モードの設定を解除してクラッチ接続状態にするようにしている。
【０００５】
また、特許文献１に記載のクラッチ制御装置の他の例では、チェンジレバーに設けられた押しボタン・スイッチを押すことでクラッチを半クラッチ・モードに設定して車両を微速走行可能に設定するとともに、半クラッチ・モードが設定されているときに押しボタン・スイッチを再び押すことで、半クラッチ・モードの設定を解除するようにしている。
【先行技術文献】
【特許文献】
【０００６】
【特許文献１】特開２００５−１３３８２４号公報。
【発明の概要】
【発明が解決しようとする課題】
【０００７】
ところで、車両が微速走行する場合として、例えば図３に示すように荷下ろし場３１においてトラック３３から積み荷を下ろすために、トラック３３を比較的短い距離の後進微速走行で荷下ろし場３１のプラットフォーム３２に対して所定位置（例えば、トラック３３の荷台３３ａの後端がプラットフォーム３２の先端に接触する位置等）に停止させるような場合がある。このような場合、従来は運転者がアクセルペダルをゆっくりと小さく踏み込んだり、アクセルペダルを解放したりすることを繰り返してトラック３３を前述の所定位置に停止させるようにしている。
【０００８】
このようなトラック３３の運転操作では、トラック３３の後端がプラットフォーム３２に衝突する場合がある。このため、ゴム等の弾性材からなる緩衝部材３４がプラットフォーム３２の先端に配設されていて、トラック３３の後端がこの緩衝部材３４に当接することで衝撃が緩和されるとともに、トラック３３およびプラットフォーム３２の損傷が抑制されるようになっている。
【０００９】
しかしながら、前述のような緩衝部材３４を用いても、アクセルペダルのゆっくりとした小さい踏み込みおよびアクセルペダルの解放を繰り返して行う必要がある。しかも、アクセルペダルの少しの踏み込みで半クラッチにより車両がすぐに比較的大きく動き出す可能性があることから、運転者はトラック３３を注意深く移動させなければならなく、アクセルペダルの踏み込み操作が煩雑となるという問題がある。
【００１０】
特に、このような荷下ろし場３１においては、トラック３３が位置する路面３５が、プラットフォーム３２から遠ざかる方へ小さな傾斜角θで若干傾斜している場合が多い。このため、アクセルペダルの踏み込みでプラットフォーム３２に接近したトラック３３は、アクセルペダルを解放するとプラットフォーム３２から遠ざかる方向へ移動してしまう。したがって、アクセルペダルの踏み込み操作が更に一層煩雑となる。
【００１１】
また、微速走行モードが終了すると車両を通常発進モードに切り替える必要がある。そこで、一般にアクセルペダルを大きく踏み込んでアクセル開度を大きくすることで、微速走行モードから通常発進モードに切り替えている場合が多い。
【００１２】
そこで、プラットフォーム３２に対するトラック３３の所定位置への停止操作に、前述の特許文献１に一例として記載したクラッチ制御装置による微速走行を用いることが考えられる。しかし、アクセル・ストロークの小さい状態でエンジン回転速度が所定以上になったとき強制的に半クラッチ・モードを解除してクラッチを接続するようにした場合には、運転者によるモード切換操作が不要になるものの、トラック３３が急加速してしまい、トラック３３がプラットフォーム３２に比較的速い速度で衝突する可能性が考えられる。したがって、前述のアクセルペダルの踏み込み操作が煩雑となるという問題を解決することは難しい。
【００１３】
しかも、このような荷下ろし場３１においてトラック３３を短い距離で微速走行させる場合、車両の微速走行を特許文献１に記載のようにアクセル・ストロークのみに基づいて判断したのでは、微速走行の実行判断を正確に行うことは難しい。
【００１４】
また、特許文献１に他の例として記載したクラッチ制御装置のように半クラッチ・モードの設定および設定解除を押しボタン・スイッチの押圧操作により行うようにした場合には、運転者が一々押しボタン・スイッチを操作しなければならない。したがって、前述の従来のモード切替におけるアクセル開度を大きくする場合と同様に運転者によるモード切換操作が必要となるという問題がある。しかも、押しボタン・スイッチを設ける必要があるため、部品点数が多くなるばかりでなく、モード切替の構造が複雑となるいう問題がある。
【００１５】
本発明はこのような事情に鑑みてなされたものであって、その目的は、微速走行を行うための半クラッチモードの設定および半クラッチモードの設定解除をより一層簡単に行いつつ、部品点数を削減してモード切替の構造を簡単にすることができるクラッチ制御装置を提供することである。
【課題を解決するための手段】
【００１６】
前述の課題を解決するために、本発明に係るクラッチ制御装置は、車両の停止待機モードからアクセルペダルが予め設定された設定踏み込み速度以下で踏み込まれたとき、クラッチによる動力接続が可能な状態であるが車両は停止している状態に設定されるアクセルペダル踏み込み量領域を運転者に通知するペダル踏み込み量領域通知手段を作動制御するペダル踏み込み量領域通知部と、前記アクセルペダルが前記アクセルペダル踏み込み量領域内に踏み込まれたときクラッチを半クラッチモードに設定するとともに、前記半クラッ
チモードで前記アクセルペダルが解放されたとき前記クラッチを切断して前記半クラッチモード解消するように、前記クラッチを断接するクラッチアクチュエータを作動制御するクラッチ制御部と、前記アクセルペダルが前記アクセルペダル踏み込み量領域内に踏み込まれたとき車両が停止している状態となるエンジン回転数を指示するエンジン回転数指示部と、前記アクセルペダルが前記アクセルペダル踏み込み量領域内に踏み込まれたとき車両が停止している状態となるエンジントルクを指示するエンジントルク指示部と、前記エンジン回転数指示部から指示されたエンジン回転数および前記エンジントルク指示部から指示されたエンジントルクとなるようにエンジンを制御するエンジン制御部とを少なくとも備えていることを特徴としている。
【００１７】
また、本発明に係るクラッチ制御装置は、前記クラッチを制御するとともに自動変速機を制御する変速機制御装置を備え、前記クラッチ制御部、前記ペダル踏み込み量領域通知部、エンジン回転数指示部、およびエンジントルク指示部が前記変速機制御装置に配設されていることを特徴としている。
【発明の効果】
【００１８】
このように構成された本発明に係るクラッチ制御装置によれば、車両の停止待機モード（発進モードで、ギア段が１速段、２速段、または後進段（Ｒ）に設定されているが、アクセルペダルが踏み込まれていなく車両が停止している状態）からアクセルペダルが設定踏み込み速度以下で踏み込まれたとき、クラッチ制御部によりクラッチアクチュエータが作動制御されるとともに、エンジン制御部によりエンジンがエンジン回転数指示部から指示されたエンジン回転数およびエンジントルク指示部から指示されたエンジントルクとなるように制御される。そして、アクセルペダルが、半クラッチによる動力接続が可能な状態であるが車両は停止している状態であるペダル踏み込み量領域内に踏み込まれると、ペダル踏み込み量領域通知手段によりこのアクセルペダル踏み込み量領域が運転者に通知される。したがって、運転者は車両が半クラッチモード（つまり、微速走行モード）に設定されたことを認識することが可能となる。このようにアクセルペダル踏み込み量とアクセルペダル踏み込み速度との２つの条件に基づいて車両の微速走行を判断制御することで、運転者の微速走行を行おうとする意思を察知して車両の半クラッチモード（つまり、微速走行モード）を簡便にかつ自動的に作り出すことができるようになる。特に、アクセルペダルの踏み込みがアクセルペダル踏み込み量領域内になったことを運転者に通知することで、運転者は車両を更に一層安定して微速走行させることができる。
【００１９】
また、運転者によってアクセルペダルがアクセルペダル踏み込み量領域内に踏み込まれると車両が微速走行モードに自動的に設定された後、アクセルペダルをアクセルペダル踏み込み量領域内で更に少量だけ前述のアクセルペダル踏み込み速度で踏み込むことで、車両がゆっくり動き出すクリープ状態に自動的にかつ簡単に設定することができる。
【００２０】
更に、微速走行モードを終了するためにアクセルペダルを単に解放することで、クラッチが切断されて、半クラッチモードが自動的に解消される。これにより、車両を半クラッチモードから通常発進モード（自動発進モード）に自動的に切替設定することが可能となる。したがって、車両を微速走行モードから通常発進モードに簡単に切り替えることができる。こうして、運転者はアクセルペダルの踏み込み操作だけで、通常発進モード（自動発進モード）および微速走行モードを自由に選択することが可能となる。
【００２１】
更に、前述のようにアクセルペダルを操作するだけで車両を停止待機モードから微速走行モードに自動的に設定することができ、また車両を微速走行モードから通常発進モード（自動発進モード；または、停止待機モード）へ自動的に設定することができることから、車両を微速走行モードに設定するとともに微速走行モードを設定解除するための専用の操作部材（例えば、前述の特許文献１に記載の押しボタン・スイッチ等）が不要となる。
これにより、部品点数を削減できるとともに構造を簡単にすることができ、しかも、運転者による微速走行の車両運転操作も容易に行うことが可能となる。
【図面の簡単な説明】
【００２２】
【図１】本発明に係るクラッチ制御装置の実施の形態の一例を模式的に示すブロック図である。
【図２】本発明に係るクラッチ制御装置によるクラッチ制御のフローを示す図である。
【図３】車両を微速走行させる場合の一例における問題点を説明する図である。
【発明を実施するための形態】
【００２３】
以下、図面を用いて本発明を実施するための形態について説明する。
図１は本発明に係るクラッチ制御装置の実施の形態の一例を模式的に示すブロック図である。
【００２４】
図１に示すように、この例のクラッチ制御装置１は、車両の自動変速機を制御する変速機ＥＣＵ２（本発明の変速機制御装置に相当）、および、エンジントルクを発生するエンジン３を制御するエンジンＥＣＵ４（本発明のエンジン制御部に相当）、チェンジレバーシフト位置検出センサ５、車速センサ６、クラッチストロークセンサ７、アクセルペダル踏込量センサ８、エンジン回転数検出センサ９、エンジントルク検出センサ１０、クラッチアクチュエータ１１、およびペダル踏み込み量領域通知手段１２を有する。
【００２５】
チェンジレバーシフト位置検出センサ５はチェンジレバーシフト位置を検出してチェンジレバーシフト位置信号（チェンジレバーシフト位置情報）を出力する。また、車速センサ６は車両速度を検出して車速信号（車速情報）を出力する。更に、クラッチストロークセンサ７はクラッチアクチュエータ１１のクラッチストロークを検出してクラッチ制御信号を出力する。更に、アクセルペダル踏込量センサ８はアクセルペダル（不図示）の踏込量を検出を検出してアクセル開度信号（アクセル開度情報）を出力する。更に、エンジン回転数検出センサ９はエンジン３の回転数を検出してエンジン回転数信号（エンジン回転数情報）を出力する。更に、エンジントルク検出センサ１０はエンジン３の出力するエンジントルクを検出してエンジントルク信号（エンジントルク情報）を出力する。これらの各センサは、それぞれ従来公知のセンサを用いることができる。
【００２６】
そして、チェンジレバーシフト位置検出センサ５からのチェンジレバー位置信号、車速センサ６からの車速信号、クラッチストロークセンサ７からのクラッチストローク信号、アクセルペダル踏込量センサ８からのアクセル開度信号、エンジン回転数検出センサ９からのエンジン回転数信号、およびエンジントルク検出センサ１０からのエンジントルク信号が変速機ＥＣＵ２に入力される。
【００２７】
また、クラッチアクチュエータ１１はクラッチ板の断接作動を行う。更に、ペダル踏み込み量領域通知手段１２はペダル踏み込み量領域を運転者に通知する。このペダル踏み込み量領域は、半クラッチによる動力接続が可能な状態であるが車両は停止している状態である領域（つまり、通常のクラッチ接続時におけるクラッチ駆動側とクラッチ従動側との連れ回り可能である通常クラッチ接続点を含む、半クラッチで車両が動くか動かないかのペダル踏み込み量領域）である。
【００２８】
ペダル踏み込み量領域通知手段１２としては、ブザー、ディスプレイ表示手段、運転者入力デバイス振動手段（例えば、アクセルペダルを運転者が認知可能な程度に軽く振動させるアクセルペダル振動手段等）等を用いることができる。
【００２９】
変速機ＥＣＵ２は、クラッチアクチュエータ１１の作動を制御するクラッチ制御部１３、ペダル踏み込み量領域通知信号をペダル踏み込み量領域通知手段１２に出力するペダル踏み込み量領域通知部１４、エンジン回転数指示信号を出力するエンジン回転数指示部１５、およびエンジントルク指示信号を出力するエンジントルク指示部１６を有する。
【００３０】
変速機ＥＣＵ２のクラッチ制御部１３は前述の各センサからの信号に基づいてクラッチの断接を制御するクラッチ制御信号をクラッチアクチュエータ５に出力する。クラッチアクチュエータ５はこのクラッチ制御信号に基づいて作動制御される。
【００３１】
また、変速機ＥＣＵ２のペダル踏み込み量領域通知部１４は前述の各センサの出力信号のうち必要な信号（以下、各センサの出力信号という）に基づいてペダル踏み込み量領域通知信号（ペダル踏み込み量領域通知情報）をペダル踏み込み量領域通知手段１２に出力する。
【００３２】
更に、変速機ＥＣＵ２のエンジン回転数指示部１５は各センサの出力信号に基づいて必要なエンジン回転数（エンジン回転数指示情報）指示信号をエンジンＥＣＵ４に出力する。更に、変速機ＥＣＵ２のエンジントルク指示部１６はこれらの各信号に基づいて必要なエンジントルク（エンジントルク指示情報）指示信号をエンジンＥＣＵ４に出力する。
【００３３】
更に、エンジンＥＣＵ４は、エンジン３がこれらのエンジン回転数指示信号およびエンジントルク指示信号にそれぞれ基づいてエンジン制御信号をエンジン３に出力する。このエンジン制御信号により、エンジン３は指示されたエンジン回転数およびエンジントルクに制御される。
【００３４】
ところで、この例のクラッチ制御装置１は、基本的には微速走行を行いたいという運転者の意思を察知して、前述の車両が動くか動かないかの状態になるようにクラッチを半クラッチ（つまり、車両の微速走行可能状態；更には、車両のクリープ可能状態）に制御するとともに、半クラッチによる微速走行が終了したとき、自動的にクラッチを切断して半クラッチを解除し車両が通常発進モードとなるように制御している。
【００３５】
このために、この例のクラッチ制御装置１のクラッチ制御では、アクセルペダル踏み込み量（アクセル開度）およびアクセルペダル踏み込み速度（アクセル開速度）に基づいて、クラッチ接続状態、エンジン３の回転数またはトルクを制御する。これらのアクセルペダル踏み込み量とアクセルペダル踏み込み速度との２つの条件に基づいて車両の微速走行を判断制御することで、前述の運転者の意思を察知するようにしている。より具体的には、アクセルペダルが通常走行時よりゆっくりでかつ小さいストローク量に踏み込まれたときに前述の運転者の意思を察知してクラッチを半クラッチに設定するとともに、アクセルペダルを解放したときにクラッチを切断して車両を通常発進モード（自動発進モード）に設定している。
【００３６】
より具体的には、前述の各センサの出力信号に基づいて変速機ＥＣＵ２は車両の後進（Ｒ）微速走行、あるいは車両の低速ギアによる前進走行、あるいは車両の微速走行を判断したときに、車両を半クラッチによる動力接続が可能な状態であるが停止している状態（つまり、車両が動くか動かないかの状態）に設定する。更に、このように車両が動くか動かないかの状態に設定するアクセルペダル踏み込み量の領域を運転者に通知して、運転者が微速走行状態または半クラッチ停止状態を簡便に作り出せる環境を作り、運転者の意思を察知するようにしている。
【００３７】
以下、この例のクラッチ制御装置１のクラッチ制御について、図２に示すフローを用いて説明する。
図２に示すように、このクラッチ制御では、まずステップＳ１で車両が停止待機状態に設定されている。この停止待機状態は、ギア段が１速、２速、あるいは後進段（Ｒ）の発進段に設定されているが車両が停止している状態である。この状態で、ステップＳ２で車両を発進させるためアクセルペダルが踏み込まれると、ステップＳ３で変速機ＥＣＵ２は前述の各センサからの出力信号に基づいてアクセルペダルのペダル踏み込み速度（つまり、アクセル開速度）が予め設定された設定踏み込み速度（つまり、設定アクセル開速度）以下であるか否かを判断する。
【００３８】
運転者が車両を微速走行させるためにアクセルペダルを通常走行させる場合に比べてゆっくり踏み込んだ場合、変速機ＥＣＵ２はペダル踏み込み速度が設定踏み込み速度以下であると判断する。これにより、ステップＳ４で変速機ＥＣＵ２はアクセルペダルがペダル踏み込み量領域内に踏み込まれたか否かを判断する。そして、変速機ＥＣＵ２はアクセルペダルがペダル踏み込み量領域内に踏み込まれたと判断すると、ステップＳ５で車両速度が予め設定された設定車両微速度（例えば、４〜５km/sec）以下であるか否かを判断する。
【００３９】
変速機ＥＣＵ２は車両速度が設定車両微速度以下であると判断すると、ステップＳ６でペダル踏み込み量領域通知手段１２にペダル踏み込み量領域通知信号を出力する。すると、ペダル踏み込み量領域通知手段１２が運転者にアクセルペダルがペダル踏み込み量領域内に踏み込まれたことを通知する。同時に、ステップＳ７で変速機ＥＣＵ２はクラッチアクチュエータ１１にクラッチ制御信号を出力するとともに、エンジン回転数指示信号およびエンジントルク指示信号をエンジンＥＣＵ４に出力する。
【００４０】
すると、クラッチアクチュエータ１１が作動するとともに、エンジンＥＣＵ４がエンジンを指示されたエンジン回転数およびエンジントルクに制御する。これにより、クラッチによる動力接続が行われたが車両は停止した状態（クラッチ駆動側のトルクとクラッチ従動側のトルクがバランスする状態、つまり、車両が動くか動かないかの状態）である半クラッチモード（微速走行モード）が設定される。すなわち、微速走行モードにおける車両のクリープ可能状態が設定される。こうして、運転者は、車両が微速走行モードに設定されたことを認識する。
【００４１】
次に、ステップＳ８で変速機ＥＣＵ２はアクセルペダルがペダル踏み込み量領域内で更に前述のペダル踏み込み速度で踏み込まれたか否かを判断する。変速機ＥＣＵ２はアクセルペダルがペダル踏み込み量領域内で更に踏み込まれたと判断すると、ステップＳ９で車両はゆっくり動き出す、つまり設定車両微速度以下で微速走行を行うようになる。
【００４２】
次に、ステップＳ１０で変速機ＥＣＵ２はアクセルペダルが解放されたか否かを判断する。車両が微速走行で所定停止位置に到達すると、運転者はアクセルペダルを解放するとともにブレーキペダルを踏み込んで車両をこの所定停止位置に停止させる。すると、変速機ＥＣＵ２はアクセルペダルが解放されて非踏み込み位置に戻ることで微速走行モードが終了して半クラッチモードが終端になったと判断し、前述の各センサからの出力信号に基づいてクラッチアクチュエータ１１を作動させる。これにより、ステップＳ１１でクラッチが切断されて半クラッチモードが解消される。したがって、微速走行で所定停止位置に停止した車両は通常発進モード（自動発進モード）に設定される。換言すると、車両は停止待機モード設定される。こうして、車両は微速走行モードから通常発進モードに自動的に切り替えられ、通常走行可能な状態となる。
【００４３】
ステップＳ３でアクセルペダルのペダル踏み込み速度が設定踏み込み速度より大きいと判断されると、ステップＳ１１に移行し通常発進モードが設定される。また、ステップＳ４でアクセルペダルがペダル踏み込み量領域内に踏み込まれないと判断されると、同様に
ステップＳ１１に移行し通常発進モードが設定される。更に、ステップＳ５で車両速度が設定車両微速度より大きいと判断されると、同様にステップＳ１１に移行し通常発進モードが設定される。更に、ステップＳ８でアクセルペダルが更に踏み込まれないと判断されると、ステップＳ１０に移行しこのステップＳ１０以降の処理が行われる。更に、ステップＳ１０でアクセルペダルが解放されないと判断されると、ステップＳ８に移行しこのステップＳ８以降の処理が行われる。
【００４４】
このように、この例のクラッチ制御装置１によれば、車両の停止待機モード（発進モードで、ギア段が１速段、２速段、および後進段（Ｒ）でアクセルペダルが踏み込まれていなく車両が停止している状態）からアクセルペダルが設定踏み込み速度以下で踏み込まれたとき、クラッチ制御部１３によりクラッチアクチュエータ１１が作動制御されるとともに、エンジン回転数指示部１５により指示されたエンジン回転数とエンジントルク指示部１６により指示されたエンジントルクとに基づいてエンジンＥＣＵ４によりエンジン３がエンジン回転数指示部１５から指示されたエンジン回転数およびエンジントルク指示部１６から指示されたエンジントルクとなるように制御される。そして、アクセルペダルが、半クラッチによる動力接続が可能な状態であるが車両は停止している状態であるペダル踏み込み量領域内に踏み込まれると、ペダル踏み込み量領域通知手段１２によりこのアクセルペダル踏み込み量領域が運転者に通知される。したがって、運転者は車両が半クラッチモード（つまり、微速走行モード）に設定されたことを認識することが可能となる。このようにアクセルペダル踏み込み量とアクセルペダル踏み込み速度との２つの条件に基づいて車両の微速走行を判断制御することで、運転者の微速走行を行おうとする意思を察知して車両の半クラッチモード（つまり、微速走行モード）を簡便にかつ自動的に作り出すことができるようになる。特に、アクセルペダルの踏み込みがアクセルペダル踏み込み量領域内になったことを運転者に通知することで、運転者は車両を更に一層安定して微速走行させることができる。
【００４５】
また、運転者によってアクセルペダルがアクセルペダル踏み込み量領域内に踏み込まれると車両が微速走行モードに自動的に設定された後、アクセルペダルをアクセルペダル踏み込み量領域内で更に少量だけ前述のアクセルペダル踏み込み速度で踏み込むことで、車両がゆっくり動き出すクリープ状態に自動的にかつ簡単に設定することができる。
【００４６】
更に、微速走行モードを終了するためにアクセルペダルを単に解放することで、クラッチが切断されて、半クラッチモードが自動的に解消される。これにより、車両を半クラッチモードから通常発進モード（自動発進モード）に自動的に切替設定することが可能となる。したがって、車両を微速走行モードから通常発進モードに簡単に切り替えることができる。こうして、運転者はアクセルペダルの踏み込み操作だけで、通常発進モード（自動発進モード）および微速走行モードを自由に選択することが可能となる。
【００４７】
更に、前述のようにアクセルペダルを操作するだけで車両を停止待機モードから微速走行モードに自動的に設定することができ、また車両を微速走行モードから通常発進モード（自動発進モード；または、停止待機モード）へ自動的に設定することができることから、車両を微速走行モードに設定するとともに微速走行モードを設定解除するための専用の操作部材（例えば、前述の特許文献１に記載の押しボタン・スイッチ等）が不要となる。これにより、部品点数を削減できるとともに構造を簡単にすることができ、しかも、運転者による微速走行の車両運転操作も容易に行うことが可能となる。
【００４８】
特に、荷下ろし場３１におけるプラットフォーム３２に対してトラック３３からの荷下ろしが可能となるように所定停止位置に停止させる場合には、トラック３３をこの所定停止位置に短時間で簡単に停止させることができ、作業効率を向上させることが可能となる。その場合、プラットフォーム３２に隣接するとともにトラック３３が微速走行する路面
３５が若干傾斜していて、アクセルペダルを解放するとトラック３３がプラットフォーム３２から遠ざかるように動くような場合にもトラック３３をプラットフォーム３２に対して所定停止位置に高精度に停止させることができる。
【００４９】
なお、本発明は前述の例に限定されることはなく、特許請求の範囲に記載された事項の範囲内で種々設計変更が可能である。
【産業上の利用可能性】
【００５０】
本発明に係るクラッチ制御装置は、クラッチ装置におけるクラッチの断接を自動的に制御するクラッチ制御装置に好適に利用可能である。
【符号の説明】
【００５１】
１…クラッチ制御装置、２…変速機ＥＣＵ、３…エンジン、４…エンジンＥＣＵ、５…チェンジレバーシフト位置検出センサ、６…車速センサ、７…クラッチストロークセンサ、８…アクセルペダル踏込量センサ、９…エンジン回転数検出センサ、１０…エンジントルク検出センサ、１１…クラッチアクチュエータ、１２…ペダル踏み込み量領域通知手段、１３…クラッチ制御部、１４…ペダル踏み込み量領域通知部、１５…エンジン回転数指示部、１６…エンジントルク指示部
【図１】
2014088129.tif 000003
【図２】
2014088129.tif 000004
【図３】
2014088129.tif 000005